【手続補正書】
【提出日】平成15年7月22日(2003.7.22)
【手続補正１】
【補正対象書類名】明細書
【補正対象項目名】特許請求の範囲
【補正方法】変更
【補正の内容】
【特許請求の範囲】
【請求項１】
相互接続コネクタを有する背面板及び複数の案内溝を有する枠体と、
該枠体の前記案内溝に挿入され、挿入端に接続コネクタを有するドータ回路カードと、
前記枠体の前記案内溝に挿入され、挿入端に接続コネクタを有する低背構造の電源モジュールとを具え、
前記枠体の前記背面板を介して、前記案内溝に沿って挿入される１以上のドータ回路カード及び前記電源モジュールを相互接続することを特徴とするモジュール型電子機器。
【請求項２】
相互接続コネクタを有する背面板及び略平行に形成された複数の案内溝を有する枠体と、
挿入端に接続コネクタを有し、前記案内溝に着脱自在に挿入されるドータ回路カードと、
挿入端に接続コネクタを有し、前記案内溝に着脱自在に前記ドータ回路カードと平行に挿入される電源モジュールと、
前記ドータ回路カード及び前記電源モジュールに隣接して配置される共通の冷却ファンを有する冷却ユニットとを具えることを特徴とするモジュール型電気コネクタ。
【請求項３】
カード受容領域を定める枠体および前記カード受容領域の内側端を横切る背面板を有するタイプのカードケージであって、該カードケージの前記枠体は、回路カードを挿入する複数対の案内溝を有し、前記回路カードを前記カード受容領域内に完全に挿入すると前記回路カードの回路および前記背面板の対応する回路を電気的に相互接続するカードケージ用電源モジュールにおいて、該電源モジュールは、
入力電源を受けて調整すると共にＤＣ電源を配電する電気および電子部品を有し、前記背面板と関係する前縁部および前記カードケージの枠体の前記案内溝と関係する前記前縁部と直交する側縁を含む回路カードと、
前記電気および電子部品に適切に接続され、前記回路カードを前記カード受容領域に完全に挿入するとき前記背面板の電力相互接続部に取り付けられた相補電気コネクタと嵌合する位置、寸法および形状で前記前縁部に取り付けられ、ＡＣ電源を受け且つＤＣ電源を供給する電気接続を確立する電気コネクタとを備え、
前記回路カードに取り付けられた前記部品は、ドータ回路カードに隣接するカード受容領域に挿入可能にする小形断面であり、
前記回路板および前記カード取り付け部品および前記コネクタは、前記カードケージの前方から前記カード受容領域の電源モジュール部に挿入され、前記カードケージのＡＣ電源入力および前記背面板へのＤＣ電源の送電の電気接続を自動的に確立するモジュールとし、該モジュールは、単一のユニットとして前記カード受容領域から挿入および抜去可能な単一パッケージの前記カードケージに必要とするＤＣ電源を供給するのに十分であることを特徴とするカードケージ用電源モジュール。
【請求項４】
前面から挿入されることにより各ドータカード部にドータ回路カードのアレイを保持するカード受容領域を定める枠体と、
該カード受容領域の内端を横切り且つ前記ドータカードの対応するものに関連する電気コネクタを有し、前記カード受容領域に隣接し該カード受領領域に完全に挿入されたときドータ回路カードと電気的接続を確立するように取り付けられ、前記ドータカードの挿入を案内して完全に挿入されると前記ドータ回路カードの回路と電気的に相互接続される回路を有する背面板と、
電源に関連し、前記背面板の電源モジュール部における前記カード受容領域に隣接する電源相互接続部に取り付けられ、前記背面板の電気コネクタで終わるコネクタケーブルにより供給されるＡＣ電源入力をフィードスルーするように構成された電気コネクタと、
電源モジュールとを備え、該電源モジュールは、
電源入力を受けてＤＣ電源に調整する電気および電子部品を有し、前記背面板に関連する前縁および前記カードケージ枠体の対応する前記複数対の案内溝と対応する前記前縁と直交する側縁を含む回路カードと、
前記電気および電子部品に適切に電気的接続された前記カード前縁に取り付けられ、前記回路カードを前記電源モジュール部における前記カード受領領域内に完全に挿入されると、前記背面板の電気コネクタと嵌合して電気的接続を確立して電源入力を受けＤＣ電源を送電する位置および寸法形状とされた電気コネクタとを含み、
前記回路カードに取り付けられた電気コネクタは、前記ドータカードに隣接して前記カード受容領域に挿入を可能にする小形の断面であり、
前記回路カードおよび前記カードに取り付けられた部品および前記コネクタは、カードケージの前面からカード受容領域の電源モジュール部に挿入されるモジュールを構成し、そこから取り外し可能であり、前記カードケージに完全に挿入すると、電源入力および前記背面板へのＤＣ電源の送電のため電気的接続を自動的に確立し且つ前記モジュールは、単一ユニットとして前記カード受領領域から挿入および抜去可能な単一パッケージにおけるカードケージが必要とするＤＣ電源を十分供給可能であることを特徴とするカードケージシステム。
【請求項５】
前面から挿入されると、対応部にドータ回路カードのアレイおよび電源モジュールを保持する背面板の前方にカード受容領域を定める枠体と、
冷却モジュールおよび空気流メータを備え、前記カード受容領域内の前記回路カードおよび前記電源モジュールを冷却するシステムとを備え、
前記空気流メータは、前記冷却モジュールおよび前記カード受容領域間に取り付けられたバッフル板であり、該バッフル板は、各ドータカード部に関連する制限された寸法であり前記カード受容領域を境界する内部側壁に隣接して固定された案内溝間に空気流を生じるよう位置合わせされた開口のアレイを含み、更に前記電源モジュールと位置合わせされた大寸法のスロットの列を含み、前記電源モジュールの前記部品を横切って空気流を生じさせ、それから発生する熱エネルギーを放熱し、前記開口および前記スロットの寸法は、前記冷却モジュールから前記電源モジュールへの空気流を最適に選択し、使用中に前記カード受容領域内の前記ドータカードへの空気流を十分に維持することを特徴とするカードエッジシステム。
【請求項６】
前面から挿入されると、対応部にドータ回路カードのアレイおよび電源モジュールを保持する背面板の前方にカード受容領域を定める枠体と、
冷却モジュールおよびバッフル板を備え、前記カード受容領域内の前記回路カードおよび前記電源モジュールの部品の冷却モジュールとを備え、
前記電源モジュールおよび前記冷却モジュールは、各々前方から前記カードケージに挿入又は抜去可能であり、前記カードケージに完全に挿入すると各々前記背面板と電気的接続を確立し、
前記バッフル板は、前記冷却モジュールおよび前記カード受容領域間に取り付けられ、前記ドータカード部と関連付けされた制限された寸法の開口のアレイおよび前記電源モジュール部に関連付けられた大きい寸法のスロット列を含み、前記開口および前記スロットの寸法は、前記冷却モジュールから前記電源モジュールへの空気流が最適になるように選択され、前記ドータカードへの十分な空気流を維持することを特徴とするカードケージシステム。
【手続補正２】
【補正対象書類名】明細書
【補正対象項目名】００１５
【補正方法】変更
【補正の内容】
【００１５】
本発明の別の観点によると、カード受容領域に隣接してカードケージ内に冷却モジュールを着脱自在に挿入可能にする。これにより、ドータカード及び電源モジュールからの発熱を強制空冷する。この冷却モジュールは単一のファン（換気扇）ユニットを用い、電源モジュールの側部及びドータカードの側部は、この冷却モジュールによる循環空気を受けるように開口している。冷却ファンとカード受容部間にはバッフル板を取付け、空気の流量を計測して、ファンから十分な空気が電源モジュールに循環し且つドータカードにも十分な空気流が得られるようにする。この冷却モジュールは、完全に挿入されると、冷却モジュールのシャーシの後部位置のドロワ（引出し型）コネクタによりバックプレーンと全ての必要な電気的接続を行う。尚、この接続は従来のドロワコネクタを用いて自己整合により相手コネクタと嵌合することにより行う。この冷却ファンの回転速度は、出力される空気温度を計測又はモニタ（監視）することによりファン電圧を制御して閉ルーブ制御回路を用いて制御することが可能である。
更に、本発明の他の実施形態によれば、次のような特徴的なカードケージシステムが得られる。
カード受容領域を定める枠体および前記カード受容領域の内側端を横切る背面板を有するタイプのカードケージであって、該カードケージの前記枠体は、回路カードを挿入する複数対の案内溝を有し、前記回路カードを前記カード受容領域内に完全に挿入すると前記回路カードの回路および前記背面板の対応する回路を電気的に相互接続するカードケージ用電源モジュールにおいて、該電源モジュールは、
入力電源を受けて調整すると共にＤＣ電源を配電する電気および電子部品を有し、前記背面板と関係する前縁部および前記カードケージの枠体の前記案内溝と関係する前記前縁部と直交する側縁を含む回路カードと、
前記電気および電子部品に適切に接続され、前記回路カードを前記カード受容領域に完全に挿入するとき前記背面板の電力相互接続部に取り付けられた相補電気コネクタと嵌合する位置、寸法および形状で前記前縁部に取り付けられ、ＡＣ電源を受け且つＤＣ電源を供給する電気接続を確立する電気コネクタとを備え、
前記回路カードに取り付けられた前記部品は、ドータ回路カードに隣接するカード受容領域に挿入可能にする小形断面であり、
前記回路板および前記カード取り付け部品および前記コネクタは、前記カードケージの前方から前記カード受容領域の電源モジュール部に挿入され、前記カードケージのＡＣ電源入力および前記背面板へのＤＣ電源の送電の電気接続を自動的に確立するモジュールとし、該モジュールは、単一のユニットとして前記カード受容領域から挿入および抜去可能な単一パッケージの前記カードケージに必要とするＤＣ電源を供給するのに十分であるカードケージ用電源モジュール。
前面から挿入されることにより各ドータカード部にドータ回路カードのアレイを保持するカード受容領域を定める枠体と、
該カード受容領域の内端を横切り且つ前記ドータカードの対応するものに関連する電気コネクタを有し、前記カード受容領域に隣接し該カード受領領域に完全に挿入されたときドータ回路カードと電気的接続を確立するように取り付けられ、前記ドータカードの挿入を案内して完全に挿入されると前記ドータ回路カードの回路と電気的に相互接続される回路を有する背面板と、
電源に関連し、前記背面板の電源モジュール部における前記カード受容領域に隣接する電源相互接続部に取り付けられ、前記背面板の電気コネクタで終わるコネクタケーブルにより供給されるＡＣ電源入力をフィードスルーするように構成された電気コネクタと、
電源モジュールとを備え、該電源モジュールは、
電源入力を受けてＤＣ電源に調整する電気および電子部品を有し、前記背面板に関連する前縁および前記カードケージ枠体の対応する前記複数対の案内溝と対応する前記前縁と直交する側縁を含む回路カードと、
前記電気および電子部品に適切に電気的接続された前記カード前縁に取り付けられ、前記回路カードを前記電源モジュール部における前記カード受領領域内に完全に挿入されると、前記背面板の電気コネクタと嵌合して電気的接続を確立して電源入力を受けＤＣ電源を送電する位置および寸法形状とされた電気コネクタとを含み、
前記回路カードに取り付けられた電気コネクタは、前記ドータカードに隣接して前記カード受容領域に挿入を可能にする小形の断面であり、
前記回路カードおよび前記カードに取り付けられた部品および前記コネクタは、カードケージの前面からカード受容領域の電源モジュール部に挿入されるモジュールを構成し、そこから取り外し可能であり、前記カードケージに完全に挿入すると、電源入力および前記背面板へのＤＣ電源の送電のため電気的接続を自動的に確立し且つ前記モジュールは、単一ユニットとして前記カード受領領域から挿入および抜去可能な単一パッケージにおけるカードケージが必要とするＤＣ電源を十分供給可能であるカードケージシステム。
前面から挿入されると、対応部にドータ回路カードのアレイおよび電源モジュールを保持する背面板の前方にカード受容領域を定める枠体と、
冷却モジュールおよび空気流メータを備え、前記カード受容領域内の前記回路カードおよび前記電源モジュールを冷却するシステムとを備え、
前記空気流メータは、前記冷却モジュールおよび前記カード受容領域間に取り付けられたバッフル板であり、該バッフル板は、各ドータカード部に関連する制限された寸法であり前記カード受容領域を境界する内部側壁に隣接して固定された案内溝間に空気流を生じるよう位置合わせされた開口のアレイを含み、更に前記電源モジュールと位置合わせされた大寸法のスロットの列を含み、前記電源モジュールの前記部品を横切って空気流を生じさせ、それから発生する熱エネルギーを放熱し、前記開口および前記スロットの寸法は、前記冷却モジュールから前記電源モジュールへの空気流を最適に選択し、使用中に前記カード受容領域内の前記ドータカードへの空気流を十分に維持するカードエッジシステム。
前面から挿入されると、対応部にドータ回路カードのアレイおよび電源モジュールを保持する背面板の前方にカード受容領域を定める枠体と、
冷却モジュールおよびバッフル板を備え、前記カード受容領域内の前記回路カードおよび前記電源モジュールの部品の冷却モジュールとを備え、
前記電源モジュールおよび前記冷却モジュールは、各々前方から前記カードケージに挿入又は抜去可能であり、前記カードケージに完全に挿入すると各々前記背面板と電気的接続を確立し、
前記バッフル板は、前記冷却モジュールおよび前記カード受容領域間に取り付けられ、前記ドータカード部と関連付けされた制限された寸法の開口のアレイおよび前記電源モジュール部に関連付けられた大きい寸法のスロット列を含み、前記開口および前記スロットの寸法は、前記冷却モジュールから前記電源モジュールへの空気流が最適になるように選択され、前記ドータカードへの十分な空気流を維持するカードケージシステム。